(57)【要約】【課題】  体を激しく動かしてもずれることなく、乳房の形状を美しく保持できる滑り止め付ブラジャー、及び滑り止め付ブラジャーの製造方法を提供する。【解決手段】  カップ部１０と、肩紐部２０と、背中部３０と、サイド部４０とからなり、内側面に滑り止め部が設けられているブラジャー１であって、滑り止め部は、複数の半球状の突起部５０を含んでおり、カップ部１０の周縁であって着衣時に脇に近接する部分１０ａと、肩紐部２０の肩に接触する部分から背中部へ連続する部分２０ａと、背中部３０のうち肩紐部２０から連続する部分３０ａと、サイド部４０ａとに設けられており、突起部５０は、シリコーンから形成される。【選択図】図１
2018135608.tif 000002
【特許請求の範囲】
【請求項１】
カップ部と、肩紐部と、背中部と、サイド部とからなり、内側面に滑り止め部が設けられているブラジャーであって、
前記滑り止め部は、
複数の半球状の突起部を含んでおり、
前記カップ部の周縁であって着衣時に脇に近接する部分と、肩紐部の肩に接触する部分から前記背中部へ連続する部分と、前記背中部のうち肩紐部から連続する部分と、前記サイド部とに設けられており、
前記突起部は、シリコーンから形成される、滑り止め付ブラジャー。
【請求項２】
前記突起部は、直径が３〜４ｍｍである、請求項１に記載の滑り止め付ブラジャー。
【請求項３】
繊維生地にシリコーンから形成される滑り止め部が設けられているブラジャーの製造方法であって、
ペースト状の前記シリコーンを前記繊維生地に塗布する塗布工程と、
前記シリコーンを冷却して、前記繊維生地に前記シリコーンを固着させる固着工程と、
を備える、滑り止め付ブラジャーの製造方法。
【発明の詳細な説明】
【技術分野】
【０００１】
本発明は、滑り止め付ブラジャー、及び滑り止め付ブラジャーの製造方法に関する。
【背景技術】
【０００２】
近年、ユーザが好むブラジャーは、きれいな装飾がされてある等、デザイン性が重視される一方で、いかに体にフィットするか等の付け心地や、動きやすい等の機能性も重視される。このうち、多くのユーザがブラジャーに求める機能として、乳房が垂れ下がることなく、乳房の形状を美しく保持するという機能が挙げられる。
【０００３】
従来、ブラジャーのカップを備えた胸当て部側の端部内側に滑り止め部を設けたブラジャーがあった（例えば、特許文献１参照。）。特許文献１のブラジャーは、下着の伸縮性を保持しつつ、形状保持や滑り止めの機能を発揮できるとされている。
【先行技術文献】
【特許文献】
【０００４】
【特許文献１】特開平７−１３３５０２号公報
【発明の概要】
【発明が解決しようとする課題】
【０００５】
しかし、特許文献１には、ブラジャーの胸当て部側の端部内側に滑り止め部を設けているため、体を激しく動かしてもずれにくいとあるが、ブラジャーの２か所に滑り止め部を設けただけで、どの様な動きにも対応できるかは疑問である。例えば、肩を回せば、肩紐がずれると考えられるが、特許文献１のブラジャーで肩紐のずれを防ぐことができるかは不明である。
【０００６】
本発明の目的は、体を激しく動かしてもずれることなく、乳房の形状を美しく保持できる滑り止め付ブラジャー、及び滑り止め付ブラジャーの製造方法を提供することである。
【課題を解決するための手段】
【０００７】
本発明に係る滑り止め付ブラジャーは、カップ部と、肩紐部と、背中部と、サイド部とからなり、内側面に滑り止め部が設けられているブラジャーである。滑り止め部は、複数の半球状の突起部を含んでいる。また、滑り止め部は、カップ部の周縁であって着衣時に脇に近接する部分と、肩紐部の肩に接触する部分から背中部へ連続する部分と、背中部のうち肩紐部から連続する部分と、サイド部とに設けられている。突起部は、シリコーンから形成される。
【０００８】
上記滑り止め付ブラジャーによれば、滑り止め部が、上記の部分に設けられており、しかも、これらの滑り止め部の夫々は、複数の突起部を含んでいる。このため、スポーツ等で体を激しく動かしても、ブラジャーはずれることなく、体にフィットした状態を維持できる。また、乳房の形状を美しく保持することができる。複数の突起部がシリコーンから形成されているため、肌に触れても刺激は無く安全に着用できる。更に、滑り止め付ブラジャーは、圧迫感を与えることなく、着心地は良好となる。
【０００９】
上記滑り止め付ブラジャーにおいて、突起部は、直径が３〜４ｍｍであることが好ましい。
【００１０】
この構成によれば、ユーザが本発明のブラジャーを付けた際、滑り止め部が肌に当たっているという違和感や、ブラジャーで体が締め付けられていること等をユーザに感じさせることがない。また、上記の様なサイズの突起部が複数設けられるため、ブラジャーを体により密着させて、滑り止めの効果を発揮することができる。
【００１１】
本発明に係る滑り止め付ブラジャーの製造方法は、繊維生地にシリコーンから形成される滑り止め部が設けられているブラジャーの製造方法であって、ペースト状のシリコーンを繊維生地に塗布する塗布工程と、シリコーンを冷却して、繊維生地にシリコーンを固着させる固着工程と、を備える。
【００１２】
上記滑り止め付ブラジャーの製造方法によれば、シリコーンが繊維生地に入り込み、繊維生地の内部にシリコーンが付着する。よって、繊維生地を冷却して固着させると、シリコーンと繊維生地があたかも一体の様になり、繊維生地にシリコーンからなる滑り止め部を形成することができる。上記の様にして製造された滑り止め付ブラジャーは、洗濯によって滑り止め部（複数の突起部）が剥がれ落ちることがない。よって、繰り返し使用することができ、しかも、滑り止めの効果を維持することができる。
【発明の効果】
【００１３】
本発明に係る滑り止め付ブラジャーによれば、体を激しく動かしてもずれることなく、乳房の形状を美しく保持できる。
【図面の簡単な説明】
【００１４】
【図１】本発明に係る滑り止め付ブラジャーの斜視図である。
【図２】本発明に係る滑り止め付ブラジャーを内側から見た図である。
【発明を実施するための形態】
【００１５】
以下、本実施形態に係る滑り止め付ブラジャー１について具体的に説明する。以降、単に「ブラジャー」と表記する。
【００１６】
［滑り止め付ブラジャーの構成］
図１に示される様に、ブラジャー１は、カップ部１０、肩紐部２０、背中部３０、及びサイド部４０から構成される。カップ部１０は、乳房をその形状に沿って覆うパッド１１を有している。カップ部１０は、ユーザがブラジャー１を着けたとき、両脇の真下付近から乳房がある部分、つまり、胴回りの前部分に相当する。サイド部４０は、両脇の真下付近の部分とする。
【００１７】
ここで、本実施形態に係るブラジャー１の発明者は、鋭意研究の末、図１及び図２に示される様な部分に滑り止め部を設ければ、効果的にブラジャーのずれを防止するとともに、乳房の形状を美しく保てることを突き止めた。
【００１８】
具体的には、図１及び図２に示される様に、滑り止め部は、カップ部１０の周縁であって着衣時に脇に近接する部分である第１滑り止め部１０ａと、肩紐部２０の肩に接触する部分から背中部３０へ連続する部分である第２滑り止め部２０ａと、背中部３０のうち肩紐部２０から連続する部分である第３滑り止め部３０ａと、サイド部４０にある第４滑り止め部４０ａとに設けられる。背中部３０とサイド部４０とは連続しているため、第３滑り止め部３０ａと第４滑り止め部４０ａとは隣接する。尚、図２は、ブラジャー１を内側から見た図であるが、背中部３０の中央部分を縦に裁断して広げたときの図である。
【００１９】
第１滑り止め部１０ａ、第２滑り止め部２０ａ、第３滑り止め部３０ａ、及び第４滑り止め部４０ａには、複数の突起部５０が設けられる。突起部５０は、シリコーンから形成されている。シリコーンは、人体に無害であるため、ユーザは安全にブラジャー１を着けることができる。また、シリコーンは耐水性に優れているため、ユーザが汗をかいても、突起部５０は劣化し難い。
【００２０】
突起部５０の形状は、半球状である。その直径は、３〜４ｍｍが好ましい。この様なサイズであるため、ユーザは違和感なくブラジャー１を着けることができる。また、ユーザに圧迫感（締め付けられる感覚）を与えることなく、体にフィットしてずれることなく、乳房の形状を保持することができる。
【００２１】
滑り止め部が設けられる部分について、更に言及すると、本実施形態では、とくに第１滑り止め部１０ａと第２滑り止め部２０ａとが、効果的に機能する。例えば、手を動かすと、肩は必ず動く。このため、ブラジャー１には、肩の周辺である第２滑り止め部２０ａに複数の突起部５０を設けたのである。
【００２２】
また、乳房は、揺れによって垂れたり、外側に広がる。これにより、乳房の形状は変わってしまうという問題がある。更に、重大な問題は、乳房は揺らされると、乳腺組織に悪影響を及ぼすということである。このため、スポーツ等で体を動かしたとき、乳房の揺れを防ぐことは重要である。本実施形態に係るブラジャー１は、第１滑り止め部１０ａを有することにより、他の３つの滑り止め部との相乗効果で、ブラジャー１のずれを防止し、乳房が揺れ難い様に機能する。
【００２３】
複数の突起部５０が設けられる個数は、ブラジャー１のサイズによって適宜決められる。
【００２４】
［滑り止め付ブラジャーの製造方法］
次に、本実施形態に係るブラジャー１の製造方法について説明する。まず、ペースト状のシリコーンを用意し、これを繊維生地２に塗布する（塗布工程）。この塗布には、印刷の方法を用いることができる。或いは、ペースト状のシリコーンをノズルから吐出する様にしてもよい。
【００２５】
塗布工程の後、シリコーンを冷却して、繊維生地２にシリコーンを固着させる（固着工程）。繊維生地２の内部にシリコーンが入り込み、入り込んだ状態で冷却して固められるため、シリコーンが繊維生地２とあたかも一体の様になる。繊維生地２の表面にシリコーンを塗布しただけでは、単に繊維生地２の表面にシリコーンが重ねられている状態であるため、シリコーンは剥がれ易い。しかし、上記の様に、塗布工程と固着工程とを実行することにより、ブラジャー１を繰り返し洗濯しても、シリコーンは繊維生地２から剥がれ落ちることはない。
【００２６】
また、上記の工程で形成される複数の突起部５０は、半球状であり、直径が３〜４ｍｍとする。この様にしてブラジャー１が製造される。
【００２７】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内でのすべての変更が含まれることが意図される。
【符号の説明】
【００２８】
１…滑り止め付ブラジャー
２…繊維生地
１０…カップ部
２０…肩紐部
３０…背中部
４０…サイド部
１０ａ…第１滑り止め部
２０ａ…第２滑り止め部
３０ａ…第３滑り止め部
４０ａ…第４滑り止め部
５０…突起部
【図１】
2018135608.tif 000003
【図２】
2018135608.tif 000004